(57)【要約】【課題】学校で発行される証明書に本人情報が２次元コードとして付加され、その２次元コードを基に詳細な本人情報内容をいつでもどこでも閲覧できる。【解決手段】データ管理部９にアクセスすることにより証明書３が発行自在な証明書発行装置１が備えられる。証明書３にはデータ管理部９にアクセス可能なアクセス情報２がエンコードされた２次元コードｇが付されている。２次元コード読取り装置５と、同装置５に接続されたコンピュータ４と、データを表示するディスプレイ６が備えられ、２次元コードｇ付き証明書３の２次元コードｇが、２次元コード読取り装置５で読み取られることにより、データ管理部９にアクセスし、学習履歴等の本人情報ｐがディスプレイ６上で閲覧できる。【選択図】     図１
0003138670.tif 000002
【実用新案登録請求の範囲】
【請求項１】
本人情報がコンピュータで入力されデータ管理部で管理される学習履歴システムにおいて、
前記データ管理部にアクセスすることにより履修証明書等の証明書が発行自在な証明書発行装置が備えられ、前記証明書には前記データ管理部にアクセス可能なアクセス情報がエンコードされた２次元コードが付されること、及び前記２次元コードを読み取り可能な２次元コード読取り装置と、同装置に接続されたコンピュータと、同コンピュータに接続されデータを表示するディスプレイが備えられ、前記２次元コード付き証明書の２次元コードが、２次元コード読取り装置で読み取られてデコードされた前記アクセス情報を基に、前記データ管理部にアクセスされ、学習履歴等の前記本人情報がディスプレイ上で閲覧自在に構成されていることを特徴とする、２次元コード付き証明書を用いた学習履歴システム。
【請求項２】
本人情報がコンピュータで入力されデータ管理部で管理される学習履歴システムにおいて、
前記データ管理部にアクセスすることにより履修証明書等の証明書が発行自在な証明書発行装置が備えられ、前記証明書には前記データ管理部にアクセス可能なアクセス情報がエンコードされた２次元コードが付されること、及び前記２次元コードを読み取り可能なカメラを備えたカメラ付き携帯電話機により、前記２次元コード付き証明書の２次元コードが読み取られてデコードされた前記アクセス情報を基に、前記データ管理部にアクセスされ、学習履歴等の前記本人情報がカメラ付き携帯電話機の表示部上で閲覧自在に構成されていることを特徴とする、２次元コード付き証明書を用いた学習履歴システム。
【請求項３】
本人情報は、データ管理部で随時更新され、証明書に付される２次元コードを基に、前記更新された最新の本人情報にアクセス自在に構成されていることを特徴とする、請求項１又は２に記載した２次元コード付き証明書を用いた学習履歴システム。
【請求項４】
本人情報は、学習履歴として修得済みの授業科目や試験成績、取得資格に関する本人の情報であることを特徴とする、請求項１〜３のいずれか１項に記載した２次元コード付き証明書を用いた学習履歴システム。
【考案の詳細な説明】
【技術分野】
【０００１】
本考案は、大学等の学校で主として発行される証明書に、本人情報が管理される学習履歴システムへアクセス可能な２次元コードが付加され、その２次元コードを基に詳細な前記本人情報を閲覧できる２次元コード付き証明書を用いた学習履歴システムの技術分野に関する。
【背景技術】
【０００２】
近年、所謂２次元コードが流通分野等で広く利用されてきている。２次元コードの中でもＱＲコード（登録商標）は、縦方向だけで情報量の少なかった１次元バーコードに比べ、同バーコードを縦横に拡張し、小スペースで大容量の情報を扱うことができるもので、各業界・分野で注目をあびている。
【０００３】
例えば、２次元コードを医療分野で利用した公知例として下記特許文献１が挙げられる。すなわち、同文献の医事コンピュータシステムは、その診療所又は病院の医療業務に必要な医療業務用データベースと、その業務のデータ処理を行う医療業務データ処理手段とを備え、医療業務に基づく処方せんデータを予め定めた２次元コード変換プログラムにより２次元コードを生成し、医療業務用データベースに記録する２次元コード生成手段と、その２次元コードパターンが印刷可能なプリンタと、プリンタにより処方せんにその２次元コードで処方データを印刷し、患者に発行する処方せん発行手段とを備え、調剤事務コンピュータシステムは、調剤事務用データベースと２次元コードパターンを読取る２次元コードスキャナと、その２次元コードスキャナにより処方せんの２次元コードを読取り調剤事務用データベースに記録する２次元コード読取手段と、その読取った２次元コードからデコードする予め定めた処方せんデータ逆変換プログラムにより処方せんデータを復元し、調剤事務用データベースへ記録する処方せんデータ作成手段と、その処方せんデータに基づいて、調剤業務結果による会計処理を行うと共に調剤事務用データベースに記録する調剤会計処理手段とを備える２次元コード付処方せんシステムが開示されている。
【特許文献１】特開２００２−９２１６６号公報
【考案の開示】
【考案が解決しようとする課題】
【０００４】
前記特許文献１に記載された２次元コード付処方せんシステムは、患者誘導を誘発しない形で患者の調剤薬局選択の意思を阻害することなく、処方せんデータの簡便なしかも正確かつ迅速な入力作業とするため、処方データを２次元コード化して、処方せん及び薬剤情報提供票に印刷する点で優れている。
【０００５】
この点、教育分野においては、従来２次元コードを利用する場面や必要性も乏しく２次元コードを利用したシステムは導入されていない。しかし、例えばこれからの学校教育のあり方によれば、大学等の履修証明制度に関し、社会人等を対象とした特別の課程（教育プログラム）を履修した者に対して、大学等が証明書を交付することが考えられる。
【０００６】
前記履修したことの証明書がコンピュータにより発行され、内容が印刷されることが想定されるが、その紙の証明書に印刷される情報量には限りがある。そのため、例えば、求職者が企業の採用担当者に当該履修証明書を見せる場合、企業担当者としては、求職者が修得した授業科目、試験成績、取得資格や職歴等のキャリアに関する学習履歴等の本人情報を、すぐに見ることはできず不便である。
【０００７】
これは、求職者本人にとっても、学習履歴として自分が修得した授業科目、試験成績、取得資格や職歴等のキャリアに関する本人情報を、前記履修証明書を用いていつでも何処でも確認したいという要望もある。
【０００８】
したがって、本考案が解決しようとする課題は、学校等で発行される各種証明書に、本人情報が管理される学習履歴システムへアクセス可能な２次元コードが付加され、その２次元コードを基に詳細な本人情報の内容をいつでもどこでも閲覧できて便利な２次元コード付き証明書を用いた学習履歴システムを提供することを目的とする。
【課題を解決するための手段】
【０００９】
上記課題を解決するための手段として、請求項１記載の考案の２次元コード付き証明書を用いた学習履歴システムは、本人情報ｐがコンピュータ７で入力されデータ管理部９で管理される学習履歴システムｓにおいて、
前記データ管理部９にアクセスすることにより履修証明書等の証明書３が発行自在な証明書発行装置１が備えられ、前記証明書３には前記データ管理部９にアクセス可能なアクセス情報２がエンコードされた２次元コードｇが付されること、及び前記２次元コードｇを読み取り可能な２次元コード読取り装置５と、同装置５に接続されたコンピュータ４と、同コンピュータ４に接続されデータを表示するディスプレイ６が備えられ、前記２次元コードｇ付き証明書３の２次元コードｇが、２次元コード読取り装置５で読み取られてデコードされた前記アクセス情報２を基に、前記データ管理部９にアクセスされ、学習履歴等の前記本人情報ｐが前記ディスプレイ６上で閲覧自在に構成されていることを特徴とする。
【００１０】
請求項２記載の考案の２次元コード付き証明書を用いた学習履歴システムは、本人情報ｐがコンピュータ７で入力されデータ管理部９で管理される学習履歴システムｓにおいて、
前記データ管理部９にアクセスすることにより履修証明書等の証明書３が発行自在な証明書発行装置１が備えられ、前記証明書３には前記データ管理部９にアクセス可能なアクセス情報２がエンコードされた２次元コードｇが付されること、及び前記２次元コードｇを読み取り可能なカメラを備えたカメラ付き携帯電話機５’により、前記２次元コードｇ付き証明書３の２次元コードｇが読み取られてデコードされた前記アクセス情報２を基に、前記データ管理部９にアクセスされ、学習履歴等の前記本人情報ｐがカメラ付き携帯電話機５’の表示部５ａ上で閲覧自在に構成されていることを特徴とする。
【００１１】
請求項３記載の考案の２次元コード付き証明書を用いた学習履歴システムは、前記本人情報ｐが、データ管理部９で随時更新され、証明書３に付される２次元コードｇを基に、前記更新された最新の本人情報ｐにアクセス自在に構成されていることを特徴とする。
【００１２】
請求項４記載の考案の２次元コード付き証明書を用いた学習履歴システムは、本人情報ｐが、学習履歴として修得済みの授業科目や試験成績、取得資格に関する本人の情報であることを特徴とする。
【考案の効果】
【００１３】
請求項１記載の本考案の２次元コード付き証明書を用いた学習履歴システムは、データ管理部にアクセスすることにより履修証明書等が発行自在な証明書発行装置が備えられ、前記証明書には前記データ管理部にアクセス可能なアクセス情報がエンコードされた２次元コードが付されること、及び前記２次元コードを読み取り可能な２次元コード読取り装置と、同装置に接続されたコンピュータと、同コンピュータに接続されデータを表示するディスプレイが備えられ、前記２次元コード付き証明書の２次元コードが、２次元コード読取り装置で読み取られてデコードされた前記アクセス情報を基に、前記データ管理部にアクセスされ、学習履歴等の本人情報がディスプレイ上で閲覧自在に構成されているので、企業の採用担当者にとっては、当該証明書の２次元コードを基にアクセスしたデータ管理部における本人情報を、即座にパソコン上で表示し、紙の証明書だけでは表わしきれない詳細かつ信用ある本人情報を閲覧し、希望するキャリアを充当しているか否か等を容易に確認できる。したがって、公平で正確な人物評価を迅速に行え、人材のミスマッチの事前防止に大きく貢献する。
【００１４】
また、求職者たる本人は、学習履歴として自分が修得した授業科目、試験成績、取得資格や職歴等のキャリアに関する本人情報を、前記の通り証明書に付された２次元コードを用いて起動させた学習履歴システムから、いつでも何処でも確認することができる利便性に優れている。
【００１５】
さらに、本学習履歴システムによれば、前記２次元コード付き証明書が、各種の身分証明書として用いることもでき、２次元コードを介してコンピュータ上で本人確認と本人情報を即座に確認・判断できるため、身分確認が必要な各種シーンにも対応する利便性を兼ね備えている。
【００１６】
請求項２記載の本考案の２次元コード付き証明書を用いた学習履歴システムは、データ管理部にアクセスすることにより履修証明書等の証明書が発行自在な証明書発行装置が備えられ、前記証明書には前記データ管理部にアクセス可能なアクセス情報がエンコードされた２次元コードが付されること、及び前記２次元コードを読み取り可能なカメラを備えたカメラ付き携帯電話機により、前記２次元コード付き証明書の２次元コードが読み取られてデコードされた前記アクセス情報を基に、前記データ管理部にアクセスできる。したがって、前記請求項１に係る考案の効果と同様の効果を奏すると共に、パソコンが無くても身近にあるカメラ付き携帯電話機を利用して、前記データ管理部にアクセスでき、学習履歴等の本人情報を前記カメラ付き携帯電話機の表示部上で、いつでもどこでも閲覧できる利便性に優れている。
【００１７】
請求項３記載の本考案の２次元コード付き証明書を用いた学習履歴システムによれば、本人情報がデータ管理部で随時更新されるので、証明書に付される２次元コードを基に、前記更新された最新の本人情報にアクセスでき、常に最新で有益な本人に関する情報を見られ、情報の信憑性、迅速性に優れ情報価値が高められている。
【００１８】
請求項４記載の本考案の２次元コード付き証明書を用いた学習履歴システムによれば、本人情報は、学習履歴として修得済みの授業科目や試験成績、取得資格に関する本人の情報であるので、閲覧する企業側や本人等にとって利用価値が高い。
【考案を実施するための最良の形態】
【００１９】
請求項１〜４に係る２次元コード付き証明書を用いた学習履歴システムの好適な実施形態を、以下図面にしたがって説明する。なお、本請求項１〜４記載の考案に関する実施の形態は略共通しているので、以下のとおり一括して説明する。
【００２０】
本学習履歴システムにおいて扱われる２次元コード付き証明書は、例えば成績証明書や卒業見込証明書など種々のものが対象とされるが、本実施形態では「履修証明書」を例に説明する。
【００２１】
当該２次元コード付きの証明書等を用いたシステムは、学習履歴等の本人情報ｐがコンピュータ７で入力されデータ管理部９でデータ管理される学習履歴システムｓを基本としている。データ管理部９へのアクセスは、コンピュータ４や携帯電話機５’等からインターネット１１を経由して行われるのが通例である。
【００２２】
なお、ここでのデータ管理部９とは、コンピュータシステム（サーバーセンター、ホストコンピュータ、アプリケーション等）を含む広い意味のものである。また、コンピュータ７は、企業や家庭、学校等で一般的に使用される市販タイプのパソコンが通常用いられる。
【００２３】
前記の本人情報ｐとは、学習履歴として修得済みの授業科目や試験成績、取得資格等のキャリアに関する本人の情報が挙げられる。しかし、当該本人情報ｐはこれらに限定されるものではない。
【００２４】
そして、前記学習履歴等の本人情報ｐが、データ管理部９で随時更新され、履修証明書３に付される２次元コードｇを基に、前記データ管理部９で更新された最新の本人情報ｐにアクセス自在に構成されている。
【００２５】
次に、図中符号１は、前記データ管理部９に接続されアクセス可能で、同データ管理部９で管理される本人情報ｐに基づいて各種証明書を発行する証明書発行装置を示している。該装置１は学校の構内等に設置される。よって、学生や社会人本人が当該証明書発行装置１を操作することにより、前記データ管理部９にアクセスし、符号３で示した用紙による「履修証明書」が発行自在に構成されている。
【００２６】
また、前記証明書発行装置１は、履修証明書３の発行に際し、前記データ管理部９で管理される本人情報ｐにアクセス可能なように、少なくとも当該学習履歴システムｓが起動するホームページのＵＲＬ（Uniform Resource Locator）のアクセス情報２を、２次元コードｇにエンコードし、その２次元コードｇを履歴証明書３にプリントして付加する機能も兼ね備えている。なお、この証明書３に付される２次元コードｇに、通常本人を識別確認するコード（ＩＤ）はエンコードされないが、セキュリティー等の面から本人コードを予めエンコードして実施してもよい。
【００２７】
この２次元コードｇとしては、ＱＲコード（登録商標）が好適に使用される。ＱＲコード（登録商標）は情報密度を高めた所謂マトリックス方式を採用したもので、情報が２次元的な拡がりをもっており、従来の１次元バーコード方式に比べて大量の情報を記録できるものである。
【００２８】
符号５は、前記２次元コードｇを読み取り可能な２次元コード読取り装置を示している。当該２次元コードをスキャンして読み取り可能な機能を備えたスキャナーが好適に使用される。
【００２９】
そして、前記２次元コード読取り装置５に接続され、２次元コードをデコードするコンピュータ４（パソコン）と、同コンピュータ４に接続され、デコードされた本人情報ｓ等のデータ内容を表示するディスプレイ６が備え付けられている。
【００３０】
したがって、前記２次元コードｇ付き履修証明書３の２次元コードｇが、２次元コード読取り装置たるスキャナー５で読み取られ、デコードされた前記アクセス情報２のＵＲＬにアクセスされることにより、コンピュータ４上で前記学習履歴システムｓが起動され、データ管理部９における前記学習履歴等の本人情報ｐが前記ディスプレイ６上で閲覧自在に構成されている。
【００３１】
或いはまた、前記２次元コード読取り装置５たるスキャナーの他に、２次元コードｇを読取り可能なカメラを備えた携帯電話機５’を使用する形態でも好適に実施可能である。
【００３２】
当該カメラ付き携帯電話機５’の構成は多く市販され、詳細説明を省略するが、図示を省略したカメラと、そのカメラが認識した文字等の情報を表示する表示部５ａと、当該カメラで認識した２次元コードｇにエンコードされた情報を読み取り、この情報をデコードして文字情報に変換し前記表示部５ａに伝達する読取伝達手段を備えるものである。
【００３３】
よって、当該カメラ付き携帯電話機５’で、前記２次元コードｇ付き証明書３の２次元コードｇが読み取られデコードされた前記アクセス情報２のＵＲＬを選択することにより、やはり前記学習履歴システムｓに自動的にアクセスされ、データ管理部９における学習履歴等の本人情報ｐを前記カメラ付き携帯電話機５’の表示部５ａで直ぐに閲覧することができる。
【００３４】
なお、上述したカメラ付き携帯電話機５’で、証明書３の２次元コードｇを読取った後、当該携帯電話機５’に着脱自在なメモリーカード（図示は省略）をコンピュータ４に接続して、本人情報ｐのデータ読込みとディスプレイ表示を行う形態で実施することも可能である。
【図面の簡単な説明】
【００３５】
【図１】２次元コード付き証明書を用いた学習履歴システムを示した説明図である。
【符号の説明】
【００３６】
ｐ      本人情報
ｇ      ２次元コード
ｓ      学習履歴システム
１      証明書発行装置
２      アクセス情報
３      証明書
４      コンピュータ
５      ２次元コード読取り装置
５’    カメラ付き携帯電話機
６      ディスプレイ
７      コンピュータ
８      ディスプレイ
９      データ管理部
１１    インターネット
【図１】
0003138670.tif 000003